(57)【要約】【課題】柔軟性を有し、軽量で取扱いが簡便な耐衝撃性に富み、防音性能に優れた新たな防音パネルの組付け構造を提供し、もって、簡易な構造でもその防音機能を低下することなく、取扱いにかかる作業性の良化向上を図ることができる防音設備の構築を可能とすることを課題とする。【解決手段】平板状の吸音部材４と、この吸音部材４全体を包み込むように、その表裏面から被覆するフィルム状或いはシート状の保護部材５とから多層構造となし、前記保護部材５の周囲が前記吸音部材４の外郭縁に沿って閉塞された柔軟性を有するシート状の複合防音部材から防音パネル本体２を形成し、この防音パネル本体２の外郭縁の周囲に固止された剛体からなる枠体３により囲繞したものである。【選択図】図３
0003153567.tif 000002
【実用新案登録請求の範囲】
【請求項１】
平板状の吸音部材と、この吸音部材全体を包み込むように、その表裏面から被覆するフィルム状或いはシート状の保護部材とから多層構造となし、前記保護部材の周囲が前記吸音部材の外郭縁に沿って閉塞された柔軟性を有するシート状の複合防音部材から防音パネル本体を形成し、この防音パネル本体の外郭縁の周囲に固止された剛体からなる枠体により囲繞したことを特徴とする防音パネルの組付け構造。
【請求項２】
請求項１記載の防音パネルの組付け構造であって、前記吸音部材の表裏面の保護部材は、その表裏面側のいずれか一方の保護部材が遮音性を有する素材から形成されていることを特徴とする防音パネルの組付け構造。
【請求項３】
請求項１記載の防音パネルの組付け構造であって、前記吸音部材の表裏面の保護部材は、その表裏面側の一方側の保護部材が遮音性を有する材質から形成され他方側の保護部材が遮水性を有する材質から形成されていることを特徴とする防音パネルの組付け構造。
【請求項４】
請求項１〜３のいずれか一の請求項に記載の防音パネルの組付け構造であって、前記枠体が上下方向に二分する位置で折畳み可能に構成されていることを特徴とする防音パネルの組付け構造。
【請求項５】
請求項１〜４のいずれか一の請求項に記載の防音パネルの組付け構造であって、前記枠体における各枠片には結束部材挿入用の取付孔が形成され、この取付孔は作業現場に立設された支柱に固定される結束具が挿入固定されて前記防音パネル本体を該支柱に固定して該防音パネル本体を自立可能に構成したことを特徴とする防音パネルの組付け構造。
【請求項６】
請求項１〜５のいずれか一の請求項に記載の防音パネルの組付け構造であって、複数個の防音パネル本体における枠体の左右の枠片または上下の枠片どうしを突合せ状に対向させた状態で上側に位置する両枠片にわたってそれぞれ嵌合される嵌合部を備えた直状連結部材より横方向または上下方向に直線状に連結可能としてなるを特徴とする防音パネルの組付け構造。
【請求項７】
請求項１〜５のいずれか一の請求項に記載の防音パネルの組付け構造であって、複数個の防音パネル本体における枠体の左右の枠片または上下の枠片どうしを所望の角度で拡開して突合せ状に対向させた状態で、上側に位置する両枠片にわたってそれぞれ嵌合される嵌合部を備えた上側の曲折連結部材および／または下側に位置する両枠片にわたってそれぞれ嵌合される嵌合部と接地部となす台座部とを備えた下側の曲折連結部材により横方向に曲折状に連結可能としてなるを特徴とする防音パネルの組付け構造。
【請求項８】
請求項１〜３のいずれか一の請求項に記載の防音パネルの組付け構造であって、前記枠体をパイプ状の各枠片から枠組み形成されていることを特徴とする防音パネルの組付け構造。
【請求項９】
請求項８記載の防音パネルの組付け構造であって、前記枠体が上下方向に二分する位置で折畳み可能に構成されていることを特徴とする防音パネルの組付け構造。
【請求項１０】
請求項８または請求項９記載の防音パネルの組付け構造であって、前記枠体を矩形状に形成するとともに、該枠体の各隅角部及び前記枠体を二分する端面部は各枠片のパイプ状としての孔部がそれぞれ露出されていることを特徴とする防音パネルの組付け構造。
【考案の詳細な説明】
【技術分野】
【０００１】
本考案は、建設工事等において発生する作業音や各種装置、機械等の騒音源に対する仮設防音設備として使用される防音パネルの組付け構造に関する。
【背景技術】
【０００２】
一般に、舗装工事等の建設工事にあっては、その工事に使用される各種装置、機械等の騒音や工事に伴う作業音が大きいために、工事現場においては、付近の住民等に対する環境保護として、当該工事現場の周囲に仮設の防音壁等の防音設備を配置することが必要となり、また、作業箇所が順次移動する舗装工事等の特異性に対応するために防音設備も順次移動することが必要となるものであった。
そして、この種の作業に対応する防音設備の構造として、本出願に係る考案者は、先に、吸音素材又は吸音構造からなる複数個の側壁パネルを連結し、さらに、上壁パネルを設けて、当該作業現場の周囲を側壁パネルにより囲んで防音空間を形成し、該防音空間の上方をも上壁パネルにより遮蔽することを可能とした仮設防音構造を案出した。（例えば、特許文献１参照）
【先行技術文献】
【特許文献】
【０００３】
【特許文献１】実用新案登録第３１２８１６５号
【考案の概要】
【考案が解決しようとする課題】
【０００４】
しかしながら、この仮設防音構造は作業箇所（作業現場）を完全に他の部位と区画して防音性能の高い防音空間を形成できかつその作業箇所（作業現場）の移動に対応して移動可能な設備であるものの、防音パネルとしてはその防音性状を確保するために所定の厚さが必要となり、このことが起因して防音パネルの自体の重量が比較的重くなり、作業箇所（作業現場）における防音パネル自体の移動や各防音パネルどうしの組立て等の作業性に劣るという問題点、すなわち、この作業箇所（作業現場）の移動を速やかに行う等のために、その作業箇所（作業現場）の移動に対応して各防音パネル自体を迅速に移動（各防音パネルどうしの分解、組立て作業を含む）する必要があり、該防音パネル自体の構造上（とくに、堅牢なパネルにおける重量等）の問題、また、パネルどうしの複雑な連結構造（手段）を採用する防音パネルではその迅速なる移動作業に対応することが困難となる場合が生起し、さらには、作業現場において、防音パネルに対し各種器具の衝突や材料の飛散等による衝撃が加わり、パネル自体の損傷や作業員への安全面で危惧する場合が生起するものであった。
そこで、本考案は、上記した問題点に鑑み、柔軟性を有し、軽量で取扱いが簡便な耐衝撃性に富み、防音性能に優れた新たな防音パネルの組付け構造を提供し、もって、簡易な構造でもその防音機能を低下することなく、取扱いに係る作業性の良化向上を図ることができる防音設備の構築を可能とすることを課題とする。
【課題を解決するための手段】
【０００５】
上記した課題は、各請求項記載の考案によって解決される。
すなわち、請求項１に記載の考案は、平板状の吸音部材と、この吸音部材全体を包み込むように、その表裏面から被覆するフィルム状或いはシート状の保護部材とから多層構造となし、前記保護部材の周囲が前記吸音部材の外郭縁に沿って閉塞された柔軟性を有するシート状の複合防音部材から防音パネル本体を形成し、この防音パネル本体の外郭縁の周囲に固止された剛体からなる枠体により囲繞したことを特徴とするものである。
【０００６】
この構成によれば、柔軟性を有するシート状の複合防音部材から防音パネル本体を形成し、柔軟性を有するシート状の複合防音部材から防音パネル本体を形成し、この防音パネル本体の外郭縁の周囲に固止された剛体からなる枠体により囲繞したことによって、軽量で取扱いが簡便な防音性能に優れた組付け構造の防音パネルを得ることができるものである。
しかも、その複合防音部材の柔軟性により耐衝撃性にも優れ、防音パネル本体に対する各種器具の衝突や材料の飛散等による衝撃を吸収して、作業箇所（作業現場）における防音パネル自体の損傷が抑制でき、作業員に対する安全性をも良化向上することができるものである。
このことは、建設工事等の作業箇所（作業現場）の作業音や装置などの騒音源に対して良好な防音性能を確保し得るものである。
【０００７】
請求項２に記載の考案は、請求項１記載の防音パネルの組付け構造であって、前記吸音部材の表裏面の保護部材は、その表裏面側のいずれか一方の保護部材が遮音性を有する素材から形成されていることを特徴とするものである。
【０００８】
この構成によれば、吸音部材の表裏面側のいずれか一方の保護部材が遮音性を有する素材から形成されていることによって、吸音部材の吸音効果と保護部材が遮音効果との相乗効果により優れた防音性能を発揮することができるものである。
【０００９】
請求項３に記載の考案は、請求項１記載の防音パネルの組付け構造であって、前記吸音部材の表裏面の保護部材は、その表裏面側の一方側の保護部材が遮音性を有する材質から形成され他方側の保護部材が遮水性を有する材質から形成されていることを特徴とするものである。
【００１０】
この構成によれば、吸音部材の表裏面側の保護部材における他方側の保護部材が遮水性を有する材質から形成されていることによって、防水、耐油、耐薬品等に対する耐久性に優れた組付け構造の防音パネルを得ることができるものである。
【００１１】
請求項４に記載の考案は、請求項１〜３のいずれか一の請求項に記載の防音パネルの組付け構造であって、前記枠体が上下方向に二分する位置で折畳み可能に構成されていることを特徴とするものである。
【００１２】
この構成によれば、防音パネル本体とともに枠体を２分して折畳むことによって、その運搬時や保管時にスペースを取らす、その取扱いが簡便となし得るものである。
【００１３】
請求項５に記載の考案は、請求項１〜４のいずれか一の請求項に記載の防音パネルの組付け構造であって、前記枠体における両枠片には結束部材挿入用の取付孔が形成され、この取付孔は作業現場に立設された支柱に固定される結束具が挿入固定されて前記防音パネル本体を該支柱に固定して該防音パネル本体を自立可能に構成したことを特徴とするものである。
【００１４】
この構成によれば、防音パネル本体を作業現場に設置（立設）された支柱に対して簡易に固定して該防音パネル本体を自立可能に設置することができ、防音パネル全体を当該作業現場に簡単に設置することができるものである。
【００１５】
請求項６に記載の考案は、請求項１〜５のいずれか一の請求項に記載の防音パネルの組付け構造であって、複数個の防音パネル本体における枠体の左右の枠片または上下の枠片どうしを突合せ状に対向させた状態で左右または上下両枠片にわたってそれぞれ嵌合される嵌合部を備えた直状連結部材より横方向または上下方向に直線状に連結可能としてなるを特徴とするものである。
【００１６】
この構成によれば、複数個の防音パネル本体における枠体の左右の枠片または上下の枠片どうしを突合せ状に対向させた状態で、その左右または上下両枠片にわたってそれぞれ
直状連結部材の嵌合部を嵌合して連結することによって、横方向または上下方向に直線状に複数の防音パネル本体を簡単にかつ安定状態を確保して連結することができるものである。
【００１７】
請求項７に記載の考案は、請求項１〜５のいずれか一の請求項に記載の防音パネルの組付け構造であって、複数個の防音パネル本体における枠体の左右の枠片または上下の枠片どうしを所望の角度で拡開して突合せ状に対向させた状態で、上側に位置する両枠片にわたってそれぞれ嵌合される嵌合部を備えた上側の曲折連結部材および／または下側に位置する両枠片にわたってそれぞれ嵌合される嵌合部と接地部となす台座部とを備えた下側の曲折連結部材により横方向に曲折状に連結可能としてなるを特徴とするものである。
【００１８】
この構成によれば、複数個の防音パネル本体における枠体の枠片どうしを所望の角度で拡開して突合せ状に対向させた状態で上側に位置する両枠片にわたってそれぞれ上側の曲折連結部材の嵌合部を嵌合することと、下側に位置する両枠片にわたってそれぞれ台座を備えた下側の曲折連結部材の嵌合部を嵌合することによって、複数の防音パネル本体を簡単にかつ一層安定した状態を確保して連結することができるとともに、種々の形状の防音空間を簡単に構築することができるものである。
【００１９】
請求項８に記載の考案は、請求項１〜３のいずれか一の請求項に記載の防音パネルの組付け構造であって、前記枠体をパイプ状の各枠片から枠組み形成されていることを特徴とするものである。
【００２０】
この構成によれば、枠体をパイプ状の各枠片により形成したことによって、強固で耐荷性、耐久性に優れ、軽量で取扱いが簡便な防音性能に優れた組付け構造の防音パネルを得ることができるものである。
【００２１】
請求項９に記載の考案は、請求項８記載の防音パネルの組付け構造であって、前記枠体が上下方向に二分する位置で折畳み可能に構成されていることを特徴とするものである。
【００２２】
この構成によれば、防音パネル本体とともに枠体を２分して折畳むことによって、その運搬時や保管時にスペースを取らす、その取扱いが簡便となし得るものである。
【００２３】
請求項１０記載の考案は、請求項８または請求項９記載の防音パネルの組付け構造であって、前記枠体を矩形状に形成するとともに、該枠体の各隅角部及び前記枠体を二分する端面部は各枠片のパイプ状としての孔部がそれぞれ露出されていることを特徴とするものである。
【００２４】
この構成によれば、枠体の各隅角部及び二分する端面部にあっては、パイプ状としての孔部がそれぞれ露出されていることによって、該露出された孔部を利用する種々の連結等の手段を任意に選択して採用でき、複数個の防音パネル本体どうしの連結或いは防音パネル本体自体の自立、さらには二分した防音パネル本体の直線状の連結をそれぞれ簡単になし得るものである。
【考案の効果】
【００２５】
請求項１記載の考案においては、軽量で取扱いが簡便な防音性能に優れた組付け構造の防音パネルを得ることができるとともに、その複合防音部材の柔軟性により耐衝撃性にも優れ、防音パネル本体に対する各種器具の衝突や材料の飛散等による衝撃を吸収して、作業箇所（作業現場）における防音パネル自体の損傷が抑制でき、作業員に対する安全性をも良化向上することができる。
このことは、建設工事等の作業箇所（作業現場）の作業音や装置などの騒音源に対して良好な防音性能を確保し得る。
【００２６】
請求項２記載の考案においては、吸音部材の吸音効果と保護部材が遮音効果との相乗効果により優れた防音性能を発揮することができる。
【００２７】
請求項３記載の考案においては、防水、耐油、耐薬品等に対する耐久性に優れた組付け構造の防音パネルを得ることができる。
【００２８】
請求項４記載の考案においては、運搬時や保管時にスペースを取らす、その取扱いが簡便となし得る。
【００２９】
請求項５記載の考案においては、防音パネル本体を作業現場に設置（立設）された支柱に対して簡易に固定して該防音パネル本体を自立可能に設置することができ、防音パネル全体を当該作業現場に簡単に設置することができる。
【００３０】
請求項６記載の考案においては、横方向または上下方向に直線状態で、複数の防音パネル本体を簡単にかつその安定状態を確保して連結することができる。
【００３１】
請求項７記載の考案においては、複数の防音パネル本体を横方向の曲折状態で、簡単にかつその安定状態を確保して連結することができるとともに、種々の形状の防音空間を簡単に構築することができる。
【００３２】
請求項８記載の考案においては、強固で耐荷性、耐久性に優れ、軽量で取扱いが簡便な防音性能に優れた組付け構造の防音パネルを得ることができる。
【００３３】
請求項９記載の考案においては、運搬時や保管時にスペースを取らす、その取扱いが簡便となし得る。
【００３４】
請求項１０記載の考案においては、枠体の各隅角部及び二分する端面部にあって、パイプ状としての孔部がそれぞれ露出されていることによって、該露出された孔部を利用する種々の連結等の手段を任意に選択して採用でき、複数個の防音パネル本体どうしの連結或いは防音パネル本体自体の自立、さらには二分した防音パネル本体の直線状の連結をそれぞれ簡単になし得る。
【図面の簡単な説明】
【００３５】
【図１】防音パネル本体の正面図である。
【図２】防音パネル本体に枠体を取付けた状態の正面図である。
【図３】図２の横断面図である。
【図４】枠体を二分した防音パネルの正面図である。
【図５】同じく、側面図である。
【図６】防音パネルを曲折した状態を示す側面図である。
【図７】枠体を二分した別形態の防音パネルの正面図である。
【図８】同じく、側面図である。
【図９】防音パネルを横長状にして設置（自立）した状態を示す正面図である。
【図１０】同じく、側面図である。
【図１１】支柱に対する取付け状態を示す拡大横断面図である。
【図１２】防音パネルを左右横方向に連結する直状連結部材を示す正面図である。
【図１３】（Ａ）は図１３の横断面図、（Ｂ）はその横断面形状の別例を示す横断面図である。
【図１４】防音パネルを左右横方向に連結して設置（自立）状態を示す正面図である。
【図１５】同じく、拡大横断面図である。
【図１６】防音パネルを左右横方向に連結して設置（自立）状態の別例を示す正面図である。
【図１７】同じく、拡大横断面図である。
【図１８】防音パネルを上下方向に連結して設置（自立）状態を示す正面図である。
【図１９】同じく、側面図である。
【図２０】上の曲折連結部材を示す拡大平面図である。
【図２１】同じく、拡大正面図である。
【図２２】下の曲折連結部材を示す拡大平面図である。
【図２３】同じく、拡大正面図である。
【図２４】上下の曲折連結部材の使用状態を示す平面図である。
【図２５】同じく、正面図である。
【図２６】防音パネルを縦長状にして設置（自立）した状態を示す正面図である。
【図２７】防音パネルに使用するパイプ状の枠体の正面図である。
【図２８】パイプ状の枠体と防音パネル本体とを結合させた状態の正面図である。
【図２９】パイプ状の枠体における端部の処理状態を示し、（Ａ）は拡大正面図、（Ｂ）は拡大側面図である。
【図３０】パイプ状の枠体の隅角部を示す拡大正面図である。
【図３１】同じく、拡大側面図である。
【図３２】パイプ状の枠体の連結部材を示す拡大斜視図である。
【図３３】パイプ状の枠体の連結状態を示し、（Ａ）は連結状態を示す拡大正面図、（Ｂ）は非連結状態を示す拡大正面図である。
【図３４】防音パネルを設置（自立）するための支柱を示す正面図である。
【図３５】防音パネルを横長状にして設置（自立）した状態を示す正面図である。
【図３６】防音パネルと支柱との取付け状態を示す拡大側面図である。
【図３７】防音パネルを縦長状にして設置（自立）した状態を示す正面図である。
【図３８】防音パネルを左右横方向に連結する直状連結部材を示す正面図である。
【図３９】パイプ状の枠体における隅角部の形成の別例を示し、（Ａ）はパイプ状の枠体の端部を斜状に切取った状態を示す正面図、（Ｂ）は側面図、（Ｃ）は結合状態を示す正面図、（Ｄ）は隅角部の最外縁部を切除した状態を示す正面図である。
【図４０】パイプ状の枠体の突合せ部位を挟着する連結部材の一例を示す断面図である。
【図４１】（Ａ）、（Ｂ）はパイプ状の枠体の隅角部の別例を示す組付けの説明図である。
【考案を実施するための形態】
【００３６】
以下、本考案を実施するための最良の形態について、図面を参照しながら説明する。
図１〜図３に示すように、本例の防音パネル１は、防音パネル本体２及び後述する枠体３とを主体として構成されており、該防音パネル本体２は、全体として矩形状に形成された平板状の吸音部材４と、この吸音部材４全体を包み込むように、その表裏面から被覆する保護部材５とから多層構造となし、さらに、該保護部材５の周囲が前記吸音部材４の外郭縁に沿って縫合等の手段により閉塞された柔軟性を有するシート状の複合防音部材となしている。そして、前記防音パネル本体２の外郭縁の周囲に剛体からなる枠体３が該防音パネル本体２の周囲を囲繞するように固止されて、防音パネル１全体が構成されるものである。
【００３７】
前記防音パネル本体２を構成する吸音部材４は、所要の吸音性能を有するもので、耐久性に優れ、板状に成形可能な（とくに、曲折可能な柔軟性を有する）材料であれば、一般的に使用されている材料を用いることができ、ウレタンフォーム等多孔質樹脂発泡体、ポリエステル繊維体等石油樹脂繊維系、セルロース繊維体、綿等天然繊維系、グラスウール等無機繊維系、アルミ繊維等金属繊維、吸音ゴム等が使用されるが、とくに、軽量で耐久性に優れ、取扱いが簡便な難燃性を備えた無機繊維系が好ましい。また、吸音部材４は所要の吸音性能を満足し、その取扱いが簡便な重量となるよう任意に設定するものである。
【００３８】
前記防音パネル本体２を構成する保護部材５は、雨水等が浸入して前記吸音部材４の吸音性を低下させないように、また長期にわたって該吸音部材４の形状保持・供用できるよう該吸音部材４全体を包み込んで一体化されるフィルム状或いはシート状、すなわち、吸音部材４全体を包み込む保護フィルム材５ｃと該保護フィルム材５ｃの表面に重ね合わせた保護シート材５ｂから形成されており、該吸音部材４に対し、その一面側（例えば、表面側）に遮音性を有する遮音保護材５ａが設けられている。そして、保護部材５は、全体として柔軟性を保持するように、その各保護フィルム材５ｃ、保護シート材５ｂ、遮音保護材５ａの数、厚さ、材質等は設定されるとともに、後述するように防音パネル本体２全体を二分して折畳むことができる箇所を予め形成する構造とすることもできるものである。
【００３９】
前記保護部材５を構成する保護フィルム材５ｃは、主として防水を目的とし、遮水性に優れた材質から形成され、とくに、ポリエチレン等高分子フィルムから形成することが好ましい。なお、上記、遮水性に加え、耐油、耐薬品等に対する耐久性に優れた材質から形成することも可能である。
【００４０】
前記保護部材５を構成する保護シート材５ｂは、耐候性、防水性、遮音性、難燃性等に優れた材質等からなる遮音シートや難燃繊維シートを採用することが好ましく、耐久性、防音性の向上ためこの遮音シートや難燃繊維シートを単独種（同一種）で使用すること、別種のものを表面及び／または裏面に組合わせて使用することが任意である。
【００４１】
前記遮音保護材５ａとしては、遮音性に優れ、所要の強度、耐候性、防水性等を備えた材質例えば、塩化ビニル、ゴム類、鉛等遮音金属を混入した繊維等から形成されており、とくに、優れた音響過損失値を有する高分子シートや金属粉を混入した塩化ビニルシートが好ましい。この遮音保護材５ａ（遮音シート５ａともいう。）を採用することにより、防音パネル本体２としては、吸音部材４と保護部材５の遮音シートとの組合わせによって、該吸音部材４が騒音を吸収するとともに、遮音シートが騒音の通過を抑制する相乗効果で防音効果をより一層向上することができるものである。
【００４２】
前記難燃繊維シートとしては、長時間の供用や工事中の熱等に耐えられるように、耐候性、防水性に優れた材質、例えば、難燃性アクリル、難燃性アラミド、ポリパラフェニレンベンゾピスオキサゾール（ＰＢＯ）、ポリイミド等の高分子繊維等から形成されている。なお、この難燃繊維シートは遮音効果も兼ね備えている材質から形成すれば、より好ましい。
【００４３】
この防音パネル本体２にあって、前記のように、吸音部材４全体を保護部材５で包み込むように、その表裏面から被覆して、該保護部材５の周縁を二重状態で縫合することによって、吸音部材４とその表裏面の保護部材５とが一体化された多層構造のシート状に形成されるものであり、該保護部材５の一方面側に遮音シートを、他方面側に難燃繊維シートを重ねて一体化することにより、良好な防音性（例えば、音響過損失値は５００〜２０００Ｈｚの領域において１６〜３８ｄＢ）、耐久性、防水性（耐油、耐薬品等も兼ねる）を有し、全体的に柔軟性を有する耐衝撃性に優れたものとなる。
【００４４】
そして、前記防音パネル本体２の周囲、すなわち、保護部材５の縫合した部位に枠体３
が該端面を囲繞する状態で固止することによって、防音パネル１が構成されるものであり、この枠体３は、所要の強度、耐久性を有しかつ作業性を向上するために軽量である材質から形成されるものであり、アルミニウム、鉄、ステンレス等の金属から構成することが好ましく、所要の強度、耐久性が確保できるのであれば、合成樹脂製、木製の材質でもよい。
また、防音パネル本体２に対する枠体３の組付けは、図３に示すように、該防音パネル本体２の左右の両枠片、下の枠片、上の枠片に対応する該枠体３の各枠片３ａ〜３ｄを断面ほぼコ字状に形成して防音パネル本体２の端面における保護部材５の縫合した部位を両側から挟みこむ状態でビス等の取付け手段６〜６により締付けて組付けられるものである。なお、金属製の枠体３を採用する場合は、押出し成形等により形成されたものが最適である。
【００４５】
前記枠体３における左右の側片３ａ、３ｂには、その側端面にそれぞれ平棒状の外側吸音部材が接着材により固設、或いはビス等の取付け手段により取外し可能に設けることが可能であり、の外側吸音部材は、所要の耐久性、耐候性、変形性能を備えていれば、一般的に使用されている材料を用いることができ、耐久性や変形性、形状回復性に優れた材質、例えば、多孔質樹脂発泡体、有機繊維系、ゴム系等から形成することが好ましい。
この外側吸音部材は、複数個の防音パネル１どうしを連結して使用する場合において、その防音パネル１の端面間の隙間をカバーして防音性を確保するためのものである。
【００４６】
また、前記枠体３における左右及び上下の枠片３ａ、３ｂ、３ｃ、３ｄには、所定の箇所に結束部材挿入用の取付孔７〜７が設けられている。この結束部材挿入用の取付孔７〜７内には、図９〜図１１に示すように、防音パネル１をほぼ垂立状態で自立するために、作業現場において支持設備として設置される支柱８に対して該支柱８に嵌合固定される環状の結束具９（ボルトつき環状割型のクランプ手段）におけるボルト９ａが挿通されるもので、このボルト９ａの軸端からナット９ｂを螺入することにより防音パネル１全体を支柱８に取付け固定されるように構成されるものである。なお、支持設備として設置される支柱８は、その下端に平板状の台座８ａが設けられて設置状態の安定化を図るように構成されている。
【００４７】
さて、上述のように構成された本例の防音パネル１においては、吸音部材４と保護部材５とを一体化して柔軟性を有する多層構造の防音パネル本体２を構成し、その防音パネル本体２の周囲を枠体３で囲繞する構成としたことにより、強度、耐久性、遮音性に優れ、比重も小さく、全体として軽量で取扱いが簡便な防音パネル１とすることができるものであり、防音パネル本体２は全体的に柔軟性を有するものであるから耐衝撃性に優れたものとなり、作業箇所（作業現場）における防音パネル１自体の損傷が抑制でき、作業員に対する安全性をも良化向上するものである。
また、防音パネル本体２としては、防音部材４と保護部材５の遮音シートとの組合わせることによって、該吸音部材４が騒音を吸収するとともに、遮音シート５ａが騒音の通過を抑制する相乗効果で防音効果をより一層向上することができるものであり、さらに、保護部材５の一方面側に遮音シートを、他方面側に難燃繊維シートを重ねて一体化することにより、良好な防音性、耐久性、防水性（耐油、耐薬品等も兼ねる）を有する防音パネル１とすることができるものである。
【００４８】
そして、図９（防音パネル１におけるほぼ中央の連結杆の図示を省略）〜図１１に示すように、作業現場に上記した防音パネル１を垂立状に設置する場合には、作業現場において支持設備として設置されかつ台座８ａにより安定した状態で立設された支柱８に対し、防音パネル１を仮に垂立状に設置する。この場合、その各支柱８に対向して防音パネル１側の左右の枠片３ａ、３ｂの取付孔７〜７を位置合わせする。
この状態で、支柱８に嵌合固定される環状の結束具９におけるボルト９ａを前記枠片３ａ、３ｂの取付孔７〜７に挿通し、該取付孔７〜７から突出された軸端からナット９ｂを螺入することにより防音パネル１全体を支柱８に取付け固定されるものである。
ここに、防音パネル１が作業現場に対して垂立状に設置（自立）することができるものであり、該防音パネル１で遮蔽された作業現場において、その複数個の防音パネル１で遮蔽された空間部内において発生される騒音が吸音部材４により吸収されるとともに、遮音性に優れた保護部材５における一方面側の遮音シート５ａにより該騒音の透過を抑制する相乗効果から、該空間部外部に対する非常に優れた防音性能を有するものである。
なお、複数個の防音パネル１を連結して設置する場合には、各防音パネル１の各端面どうしの隙間が外側吸音部材によってカバーされてその防音性を確保することができるものである。
【００４９】
次に、図４〜図６に示す実施例について説明すると、この態様は、前記した枠体３における左右の枠片３ａ、３ｂを上下方向にほぼ二分する位置で分離して該分離した部位を蝶番１０、１０により曲折可能（回動可能）に結合し、この蝶番１０，１０を介して該枠体３とともに防音パネル本体２、すなわち、防音パネル１全体を二分して曲折可能とした構成であって、その余の構成は前記した実施例と同様であるので、図中同符号を付してその説明を省略する。なお、分離した左右の側片３ａ、３ｂの分離部位近傍には、左右の側片３ａ、３ｂ間に補強枠片１５、１５が横架されている。
したがって、この実施例にあっては、図６に示すように、防音パネル本体２とともに枠体３を２分してほぼ半分に折畳むことができるもので、その運搬時や保管時にスペースを取らす、その取扱いが簡便となし得るものである。この場合、防音パネル本体２に対して二分して折畳む箇所を予め折畳み可能な構成としておくことができる。
【００５０】
次に、図７、図８に示す実施例について説明すると、この態様は、前記の枠体３における左右の枠片３ａ、３ｂを上下方向にほぼ二分する位置で分離して該分離した部位をそれぞれ連結板１１、１１でビス１２、１２等の締付け手段を介して取外し可能に結合した構成であって、その余の構成は前記した実施例と同様であるので、図中同符号を付してその説明を省略する。なお、この場合にあっても、分離した左右の枠片３ａ、３ｂの分離部位近傍には、左右の枠片３ａ、３ｂ間に補強枠片１５、１５が横架されている。
したがって、この実施例にあっては、図６に示すように、ビス１２、１２等の締付け手段を介して連結板１１、１１と枠体３におけるそれぞれの側片３ａ、３ｂとの結合状態を解離することによって防音パネル本体２とともに枠体３とともに、防音パネル本体２を２分してほぼ半分に折畳むことができるもので、その運搬時や保管時にスペースを取らす、その取扱いが簡便となし得るものである。この場合にあっても、前記と同様に、防音パネル本体２に対して二分して折畳む箇所を予め折畳み可能な構成としておくことができる。
【００５１】
さらに、作業現場において、複数個の防音パネル１を左右横方向に連結して垂立状に設置する場合について図１２〜図１７を参照して説明する。（図では防音パネル１を横長状とする場合）
この場合は、図１２及び図１３（Ａ）に示すように、専用の直状連結部材１３を使用するものであり、この直状連結部材１３は平断面コ字状に形成された所定の長さの左右の連結片１３ａ、１３ｂが背中合わせ状に結合され、該結合部位が溶接等の手段で一体的に結合され、この平断面コ字状の凹部が枠体３における上下の枠片３ｃ、３ｄに嵌合可能な取付け用の嵌合部１４、１４として構成され、また、左右の連結片１３ａ、１３ｂのほぼ上下部位には、前記の実施例と同様に構成された結束具９が取付けられる結束部材挿入用と、該直状連結部材１３を枠体３における左右の枠片３ｃ、３ｄに取付けるための割りピンＷ状の結束具挿入用とを兼用する取付孔７〜７が設けられている。
したがって、この態様にあっては、複数個の防音パネル本体１，１における枠体３の上下の枠片３ｃ、３ｄどうしを突合せ状に対向させた状態で、直状連結部材１３の両連結片１３ａ、１３ｂの嵌合部１４、１４を左右の両枠片３ａにわたってそれぞれ嵌合することによって、複数個の防音パネル１を左右横方向に連結するものである。
【００５２】
そして、直状連結部材１３と枠体３における上下の枠片３ｃ、３ｄとは、取付孔７に割りピンＷ状の結束具を挿入することによって強固な結合を得ることができる。
この結合状態の複数個の防音パネル１を前述の場合と同様に、図１４及び図１５に示すように、作業現場において支持設備として設置されかつ台座８ａにより安定した状態で立設された支柱８に対し、防音パネル１を仮に垂立状に設置する。この場合、その各支柱８に対向して防音パネル１側の上下の側片３ａ、３ｂ（左右の連結片１３ａ、１３ｂ）の取付孔７〜７を位置合わせする。
この状態で、支柱８に嵌合固定される環状の結束具９におけるボルト９ａを前記枠片３ａ、３ｂの取付孔７〜７に挿通し、該取付孔７〜７から突出された軸端からナット９ｂを螺入することにより防音パネル１全体を支柱８に取付け固定されるものである。
ここに、複数個の防音パネル１を作業現場に対して垂立状に設置（自立）することができるものであり、該複数個の防音パネル１〜１で遮蔽された作業現場において、その複数個の防音パネル１〜１で遮蔽された空間部内において発生される騒音が吸音部材４により吸収されるとともに、遮音性に優れた保護部材５の遮音シート５ａにより該騒音の透過を抑制する相乗効果から、該空間部外部に対する非常に優れた防音性能を有するものである。
なお、各防音パネル１〜１の各端面どうしは、隙間を外側吸音部材（図示しない）によってその隙間をカバーしてその防音性を確保することができるものである。
この場合、支柱８に対する結束具９により直状連結部材１３と枠体３における左右の側片３ａ、３ｂとの結合がさらに強固となる。
なお、直状連結部材１３にあっては、図１３（Ｂ）に示すように、平断面Ｈ形状に形成して縦長状の左右の連結片１３ａ、１３ｂを構成することが可能である、前記した嵌合部１４、１４は枠体３における左右の枠片３ａ、３ｂに対し、所望のクリアランスをおいて嵌合されるものであり、そのクリアランス寸法は約５ｍｍが好ましく、嵌合深さも任意に設定することができるものであるが、その嵌合幅以上の寸法とすることによって、その嵌合状態の安定化（抜脱を防止する）を図ることができるものである。また、直状連結部材１３の長さにあってもその連結状態が安定する長さであれば、任意に設定することができるものである。
【００５３】
そして、上記結合状態の複数個の防音パネル１は、図１６及び図１７に示すように、支柱８を使用しない状態で垂立状に設置（自立）することも可能であり、この場合は直状連結部材１３の下端を接地状態とすることが好ましい。
また、図１８及び図１９（防音パネル１におけるほぼ中央の連結杆の図示を省略）に示すように、上記のように結合した複数個の防音パネル１が上下方向に位置する横長状態においても前述と同様にして垂立状に設置（自立）することも可能である。この場合、直状連結部材１３の両嵌合部１４、１４は防音パネル１の枠体３における上下対向して位置される左右の枠片３ａ、３ｂにそれぞれ嵌合されるものである。
さらに、図２６（防音パネル１におけるほぼ中央の連結杆の図示を省略）に示すように、防音パネル１を縦長状として左右横方向に結合することもでき、この場合は、直状連結部材１３の嵌合部１４、１４が枠体３における左右の枠片３ａ、３ｂにそれぞれ嵌合する状態となる。
【００５４】
次いで、複数個の防音パネル１をくの字状、コ字状、ロの字状等に作業現場を囲って設置する場合において、その複数個の防音パネル１における隅角部の結合に使用される曲折連結部材について図２０〜図２５を参照して説明する。
まず、図２０及び図２１に示す上側の曲折連結部材について説明すると、この上側の曲折連結部材１６は、断面コ字状でかつその開放凹部を下側とする所定の角度に曲折（図ではほぼ直角状を示すが、その角度は任意に予め設定するものである）された平面Ｌ形状に形成されており、その一方の開放端部から曲折部位、また他方の開放端部から曲折部位にかけてそれぞれ前記下向きの開放凹部とにより、防音パネル１の枠体３の隅角部位が嵌合可能な嵌合部１７、１７が形成されている。
そして、曲折状の連結片１６ａ、１６ｂのほぼ中央部寄りには、該曲折連結部材１６を枠体３における枠片に取付けるための割りピン１８状の結束具挿入用の取付孔１９、１９がそれぞれ設けられている。
【００５５】
次に、図２２及び図２３に示す下側の曲折連結部材について説明すると、この下側の曲折連結部材２０は、断面コ字状でかつその開放凹部を上側とする所定の角度に曲折（図ではほぼ直角状を示すが、その角度は任意に予め設定するものである）された平面Ｌ形状に形成されており、その一方の開放端部から曲折部位、また他方の開放端部から曲折部位にかけてそれぞれ前記上向きの開放凹部とにより、防音パネル１の枠体３の隅角部位が嵌合可能な嵌合部２１、２１が形成されている。
そして、曲折状の連結片２０ａ、２０ｂのほぼ中央部には、該曲折連結部材２０を枠体３における枠片に取付けるための割りピン２２状の結束具挿入用の取付孔２３、２３がそれぞれ設けられている。
また、下側の曲折連結部材２０には、その下部に平板状の台座２４が設けられ、この台座２４の一つの隅部に前記下側の曲折連結部材２０が配置されるとともに、他の三つの隅部にそれぞれ所望の重錘２５〜２５が装設されている。
【００５６】
なお、前記上側の曲折連結部材１６及び下側の曲折連結部材２０において、前記直状連結部材１３と同様に、その嵌合部１４、２１が枠体３における左右の枠片３ａ、３ｂに対し、所望のクリアランスをおいて嵌合されるものであり、そのクリアランス寸法は約５ｍｍが好ましく、嵌合深さも任意に設定することができるものであるが、その嵌合幅以上の寸法とすることによって、その嵌合状態の安定化（抜脱を防止する）を図ることができるものである。また、直状連結部材１３の長さにあってもその連結状態が安定する長さであれば、任意に設定することができるものである。
【００５７】
上記のように構成された上側の曲折連結部材１６及び下側の曲折連結部材２０の使用状態について説明すると、防音パネル１を横長い状態として、その複数個の防音パネル１における枠体３の枠片どうしを所望の角度（図では直角状）で拡開して突合せ状に対向させた状態で上側に位置する両枠片３ａ（３ｂ）にわたってそれぞれ上側の曲折連結部材１３の嵌合部１４、１４を嵌合することによって、複数の防音パネル１を簡単にかつその安定状態を確保して連結することができるとともに、種々の形状の防音空間を簡単に構築することができるものである。（図２５参照、図では防音パネル１におけるほぼ中央の連結杆の図示を省略）
【００５８】
そして、下側の曲折連結部材２０にあっては、前記上側の曲折連結部材１６と同様に、複数個の防音パネル１における枠体３の枠片どうしを所望の角度（図では直角状）で拡開して突合せ状に対向させた状態で下側に位置する両枠片３ｂ（３ａ）を下側の曲折連結部材２０の嵌合部２１、２１それぞれ嵌合することによって、複数の防音パネル１を簡単にかつその安定状態を確保して連結することができるとともに、種々の形状の防音空間を簡単に構築することができるものである。この場合、下側の曲折連結部材２０の台座２４が該防音パネル１の設置面に位置され、その上面に重錘２５〜２５が装設されているため、さらなる安定状態を確保して連結することができるものである。（図２３〜図２５参照）
【００５９】
このように、各防音パネルに１〜１によって囲まれて外部と遮蔽された空間部内において発生される騒音が吸音部材４により吸収されるとともに、遮音性に優れた保護部材５の遮音シート５ａにより該騒音の透過を抑制する相乗効果から、該空間部外部に対する非常に優れた防音性能を有するものである。また、防音パネル１によって囲まれた空間に上部、すなわち、防音パネル１に上端に別の防音パネルを載置して該上部を遮蔽することもでき、この上部を遮蔽する防音パネルを垂立状態にある防音パネルに上部用として蝶番により予め組み付けておくことも可能である。なお、各連結部材１３、１６、２０にあっては、所要の強度、耐久性を有しかつ作業性を向上するために軽量である材質から形成されるものであり、アルミニウム、鉄、ステンレス等の金属から構成することが好ましく、所要の強度、耐久性が確保できるのであれば、合成樹脂製の材質でもよい。
【００６０】
次に、図２７〜図３９に示す防音パネル１の別例について説明する。
この別例の態様は、前述した実施例における枠体３の構成を変更したものであり、該枠体３が丸パイプ材から構成されている。
すなわち、防音パネル本体２の周囲に設けられた枠体２６は、全体が丸パイプ材から形成され、左右の枠片２６ａ、２６ｂがその上下方向にほぼ二分する位置で分離され、その分離された部位に連結部材２７が該左右の枠片２６ａ、２６ｂがそれぞれ分離可能に嵌合されて防音パネル１全体における二分した曲折（折畳み）に対応する構成とし、該枠体２６を構成する左右の側片及び上下の枠片（２６ａ〜２６ｄ）の端部を山形状に切断して該端部で形成される各隅角部において、それぞれの枠片（２６ａ〜２６ｄ）の丸パイプ状の孔部２８ａ〜２８ｄがそのまま露出されるように枠組み（溶接等による接合）され、該各隅角部に平板状の補強部材２９が設けられた構成である。これにより、図３０の孔部２８ａは、図示上方からも左方向からも図示矢印で示すように、例えば、丸棒状部材の挿入が可能である。この構成は各隅角部において共通である。
【００６１】
そして、図２８に示すように、防音パネル本体２と枠体２６とを該防音パネル本体２に形成された多数個の取付孔７〜７を介してバンド、紐３５等で結束するものである。なお防音パネル本体２と枠体２６との取付けは、安定的に固定できるものであれば、他の方法（手段）でも可能である。
【００６２】
さらに、本実施例にあっては、図３９の（Ａ）〜（Ｄ）に示すように、枠体２６を構成する各枠片２６ａ〜２６ｄの端部を斜状に切断（図（Ａ）（Ｂ）参照）してこの部位を互いに接合して隅角部を形成し（図（Ｃ）参照）、その後、図Ｄに示すように、パイプ状の孔部が該隅角部に露出するように切断して該枠体２６全体を構成してもよい。
【００６３】
そして、左右の枠片２６ａ、２６ｂの分離された部位に対する連結部材２７の組付けは、図３２及び図３３に示すように、左右の枠片２６ａ、２６ｂの外周軸線方向にその分離
端面から所定の長さの係合スリット３０、３１が切欠き形成され、この係合スリット３０、３１において下側の枠片における係合スリット３０の端部に径方向に延びる係止凹部３０ａが形成され、上側の枠片における係合スリット３１の端部及びほぼ中間部に径方向に延びる係止凹部３１ａ、３１ｂが形成され、また、連結部材２７は、図３２に示すように丸棒状に形成されるとともに、そのほぼ上下部位の外周一部に前記係合スリット３０、３１に係脱する係止ピン３２ａ、３２ｂが突設されている。
しかして、連結部材２７は、左右の枠片２６ａ、２６ｂの分離された部位から両者の孔内に対し一方の係止ピン３２ａを下側の枠片における係合スリット３０内に、他方の係止ピン３２ｂを上側の枠片における係合スリット３１内に嵌挿した状態で嵌装されており、左右の枠片２６ａ、２６ｂのそれぞれの結合（連結）時には、連結部材２７の一方の係止ピン３２ａが下側の枠片における係合スリット３０内から係止凹部３０ａ係入され、他方の係止ピン３２ｂが上側の枠片における係合スリット３１内から下の係止凹部３１ａに係入されてその分離を阻止する状態（図３３（Ａ）参照）とし、連結部材２７の一方の係止ピン３２ａが下側の枠片における係合スリット３０内から抜脱されて上側の枠片における係合スリット３１内から下の係止凹部３１ａに係入され、他方の係止ピン３２ｂが上側の枠片における係合スリット３１内から下の係止凹部３１ａから抜脱されてに係入されて上の係止凹部３１に係入された状態において左右の枠片２６ａ、２６ｂのそれぞれの分離を可能（図３３（Ｂ）参照）とするように構成されている。
【００６４】
なお、本実施例においては、パイプ状の枠体２６は、アルミニウム、鉄、ステンレス等の金属から構成することが好ましく、所要の強度、耐久性が確保できるのであれば、合成樹脂製の材質でもよく、また、分離した左右の枠片２６ａ、２６ｂの分離部位近傍には、左右の枠片２６ａ、２６ｂ間に前記実施例と同様に補強枠片１５、１５が横架され、その余の構成は前記実施例と同様であり、同一部材については同符号を付してその説明を省略する。
【００６５】
したがって、本実施例においては、図３５及び図３６に示すように、防音パネル１を横長状として作業現場に上記した防音パネル１を垂立状に設置する場合には、作業現場において支持設備として設置されかつ台座８ａにより安定した状態で立設された支柱８（図３４参照）に対し、防音パネル１を仮に垂立状に設置して該防音パネル１の枠体２６の側片の孔部２８ｃ、２８ｄに対し支柱８を嵌挿することによって、防音パネル１自体の自立した設置状態が簡単に得られるものである。この場合、図３７（防音パネル１におけるほぼ中央の連結杆の図示を省略）に示すように、防音パネル１を縦長状として自立した設置状態が前記と同様に簡単に得られるものである。
さらに、図３８に示すように、複数個の防音パネル１における枠体２６の左右の枠片２６ａ、２６ｂどうしを突合せ状に対向させた状態で上側の枠片２６ａの孔部２８ａ、２８ｄにわたってそれぞれ丸棒状の直状連結部材３３を嵌合することによって、横方向に直線状に複数の防音パネル１を簡単にかつ安定状態を確保して連結することができるものである。この場合、直状連結部材３３は、折畳み分割部の連結部材２７と同様形状とし、嵌合部の構造も分割部と同様にスリットを備える構造としてもよい。
また、複数個の防音パネル１における枠体２６の左右の枠片２６ａ、２６ｂどうしを突合せした部位を挟着等する連結部材３４で回動可能に連結することも可能である。この場合、連結部材３４の一例を示すと、図４０に示すように、２枚の一部屈曲した金属製薄板３４ａを蝶番３４ｂで回動可能に連結し、その開放他端がボルト３４ｄ及びナット３４ｅによる締付け部３４ｃを形成する構成の連結部材３４である。
【００６６】
そして、図示しないが、複数個の防音パネル１における枠体の枠片どうしを所望の角度で拡開して突合せ状に対向させた状態で上側の枠片の孔部にわたってそれぞれ丸棒状に曲折した曲折連結部材を嵌合することによって、複数の防音パネル本体を簡単にかつ安定状態を確保して連結することができるとともに、種々の形状の防音空間を簡単に構築することができるものであり、その余の作用及び効果は前述した実施例の作用及び効果を同様に享受するものである。
【００６７】
また、図４１（Ａ）に示すように、パイプ端面を直角に切断し、その端部付近をアングル等からなる直角補強部材３６により接合（結合）して隅角部を形成し、同図（Ｂ）に示すように、その端部付近の表裏面を前述した平板状の補強部材２９を接合する構成とすることもできる。
【００６８】
なお、パイプ状の枠体２６は断面円形の場合について説明したが、四角形等、その他の形状でもよく、また、他の上記した各態様については、本考案における考案の主旨を逸脱しない範囲において種々変更が可能である。
【符号の説明】
【００６９】
１  防音パネル
２  防音パネル本体
３  枠体
４  吸音部材
５  保護部材
【図１】
0003153567.tif 000003
【図２】
0003153567.tif 000004
【図３】
0003153567.tif 000005
【図４】
0003153567.tif 000006
【図５】
0003153567.tif 000007
【図６】
0003153567.tif 000008
【図７】
0003153567.tif 000009
【図８】
0003153567.tif 000010
【図９】
0003153567.tif 000011
【図１０】
0003153567.tif 000012
【図１１】
0003153567.tif 000013
【図１２】
0003153567.tif 000014
【図１３】
0003153567.tif 000015
【図１４】
0003153567.tif 000016
【図１５】
0003153567.tif 000017
【図１６】
0003153567.tif 000018
【図１７】
0003153567.tif 000019
【図１８】
0003153567.tif 000020
【図１９】
0003153567.tif 000021
【図２０】
0003153567.tif 000022
【図２１】
0003153567.tif 000023
【図２２】
0003153567.tif 000024
【図２３】
0003153567.tif 000025
【図２４】
0003153567.tif 000026
【図２５】
0003153567.tif 000027
【図２６】
0003153567.tif 000028
【図２７】
0003153567.tif 000029
【図２８】
0003153567.tif 000030
【図２９】
0003153567.tif 000031
【図３０】
0003153567.tif 000032
【図３１】
0003153567.tif 000033
【図３２】
0003153567.tif 000034
【図３３】
0003153567.tif 000035
【図３４】
0003153567.tif 000036
【図３５】
0003153567.tif 000037
【図３６】
0003153567.tif 000038
【図３７】
0003153567.tif 000039
【図３８】
0003153567.tif 000040
【図３９】
0003153567.tif 000041
【図４０】
0003153567.tif 000042
【図４１】
0003153567.tif 000043